(57)【要約】【課題】この発明の目的は、文字や模様の変更およびカラー化が簡単にできる銘板を提供することである。【解決手段】ベース板１に透光性カバー２を被せるとともに、これらベース板１と透光性カバー２との間には、透光性または遮光性を有し、かつ、文字や模様あるいは色を表示した複数のシートを重ね合わせて介在させる一方、上側のシートから下側のシートを透視できる構造にした点に特徴を有する。なお、上記透光性のシートには、文字や模様等を印刷してもよいし、文字や模様等を貼り付けるようにしてもよい。【選択図】　図１
2004144961.tif 000002
【特許請求の範囲】
【請求項１】
ベース板に透光性カバーを被せるとともに、これらベース板と透光性カバーとの間には、透光性または遮光性を有し、かつ、文字や模様あるいは色を表示した複数のシートを重ね合わせて介在させる一方、上側のシートから下側のシートを透視できる構造にした銘板。
【請求項２】
地模様を表示した遮光性のシートと、文字や模様を表示した透光性のシートとを備え、遮光性のシートの上に透光性のシートを重ね合わせてなる請求項１記載の銘板。
【請求項３】
透光性のシートをＯＨＰシートにした請求項１または２のいずれか１に記載した銘板。
【発明の詳細な説明】
【０００１】
【発明の属する技術分野】
この発明は、文字や模様等を表示した銘板に関する。
【０００２】
【従来の技術】
この種の銘板としては、例えば、プラスチック製のプレートに、文字や模様等を彫り込だものや、そのプレートにシルク印刷したものが従来から知られている。
プレートに文字や模様を彫り込むものは、プレートの表面に文字や模様等を彫り込んで、そこに色を入れるタイプのものもあれば、透明なプレートの裏面を彫り込んでそこに色を入れるタイプのものもある。
そして、これら銘板の代表的な用途として、工場設備を電気的に制御する配電制御盤の特性を特定するためのものなどがある。
【０００３】
【特許文献１】
特開平５−１２７５９９号公報
【０００４】
【発明が解決しようとする課題】
上記のように従来の銘板は、プラスチック製プレートに、文字や模様等を彫り込んだり、シルク印刷したりしているので、一度作り上げた銘板の文字や模様等を変更するためには、銘板そのものを取り換えなければならなかった。
特に、上記した配電制御盤などは、ユーザーによって制御機器の表現方法が異なることがある。例えば、同じ制御用の押ボタンスイッチであっても、あるユーザーでは「運転（緑色）」という表示を使用し、他のユーザーでは「起動（赤色）」といったようなことが頻繁に発生する。このようなときには、配電制御盤の機能が全く同じでも、制御用の押ボタンスイッチの機能を示す銘板は、ユーザーによって違えなければならない。
【０００５】
結局、配電制御盤の機能は全く同じにもかかわらず、銘板だけは別々と言うことになってしまう。しかも、従来の銘板は、一度表示したものを簡単にかえられないので、多品種の銘板を少量ずつ適時製作しなければならないことになる。このように、多品種の銘板を少量ずつ適時製作するとなると、その単価が高くならざるを得ない。しかしながら、実際には、銘板にそれほど付加価値が認められるわけではない。そのために、銘板に対するユーザーからの要望に答えるために、銘板メーカーにいろいろなしわ寄せが来ているのが現状である。
【０００６】
また、既設の配電制御盤であっても、例えば、その制御対象機器または装置の増強、拡張若しくは入替にともない制御ソフトを変更したりすると、配電制御盤の銘板も、制御ソフトの変更にともなって変更しなければならないことがある。例えば、制御ソフトを変更することによって、同じ押ボタンスイッチでも、その変更前と変更後で機能が違ってくることがあるが、このような場合には、その押ボタンスイッチの機能表示も制御ソフトの変更にともなって即刻変更しなければならない。もし、その機能表示を即刻変更しなければ、工場全体の稼働に支障をきたしたり、場合によっては安全に直接影響したりすることがある。
【０００７】
しかし、従来の銘板は、その表示を簡単にかえられないので、実際には、ビニールテープに油性マジックで機能表示を手書きしたものを目的の個所に貼り付けたり、あるいは、ラベル印刷機で印刷したラベルテープを目的の箇所に貼り付けたりしていた。上記ビニールテープやラベルテープは、どちらも貼付時には、新しい銘板にかえるまでの応急的な処置として使用される。しかし、実際には、貼り付けられたビニールテープやラベルテープの大半が、銘板の代わりとしてそのまま継続的に使われてしまう。
【０００８】
このように銘板の代わりとして継続的に使われるビニールテープやラベルテープは、すぐにはがれ落ちたり、はがされてしまったりすると言う問題があった。また、ビニールテープに油性マジックで手書きしたり、ラベル印刷機で印刷したりした文字などは、消えやすいと言う問題があった。そのために、従来の銘板では、機能表示を即刻変更しなければならないと言う現場のニーズに十分答えられなかった。
【０００９】
また、プラスチック製プレートに文字を彫り込む場合には、その彫刻機械によって、表現できる文字の形態が、ゴシック体などに制限されてしまう。そのために、デザイン性に優れたものが作れず、銘板の用途がきわめて限定されたものになるという問題もあった。
さらに、プラスチック製プレートに文字や模様等を彫り込むタイプの場合には、その銘板をカラフルにすることができない。もし、それをカラー化しようとすれば、プラスチック製プレートの素材の段階でカラー化するか、あるいはそのプレート表面に印刷を施さなければならない。しかし、プレートの素材の段階でカラー化を図る場合には、その製造工程が複雑になると言う問題があった。また、プラスチック製プレートに印刷を施す場合にも、色ごとに版下を製作しなければならず、非常に手間がかかると言う問題があった。
【００１０】
つまり、カラー化するために、一枚のプラスチックプレートにいくつもの色を重ねて表現するには、どうしてもその工程が複雑となり、それだけコストアップにつながってしまう。結局、従来の場合には、そのカラー化にも限界が生じてしまう。
また、カラー化に限界があったので、たくさんの色を使用する画像を銘板に印刷することは、ほとんど不可能であった。したがって、銘板に画像を表示したいと言うニーズ応えることができなかった。
この発明の目的は、文字や模様の変更が簡単にできるとともに、カラー化も簡単な銘板を提供することである。
【００１１】
【課題を解決するための手段】
第１の発明は、ベース板に透光性カバーを被せるとともに、これらベース板と透光性カバーとの間には、透光性または遮光性を有し、かつ、文字や模様あるいは色を表示した複数のシートを重ね合わせて介在させる一方、上側のシートから下側のシートを透視できる構造にした点に特徴を有する。
【００１２】
第２の発明は、地模様を表示した遮光性のシートと、文字や模様を表示した透光性のシートとを備え、遮光性のシートの上に透光性のシートを重ね合わせた点に特徴を有する。
第３の発明は、透光性のシートをＯＨＰシートにした点に特徴を有する。
【００１３】
【発明の実施の形態】
図面に示した実施形態は、工場設備を電気的に制御する配電制御盤の特性を特定するための銘板を想定したもので、プラスチック製のベース板１と、このベース板１にかぶせる透明なカバー２とを備えている。そして、上記ベース板１の側面には、複数の突起部１ａを形成する一方、カバー２の内壁面には、ベース板１の突起部１ａがはまる複数の凹部２ａを形成している。
したがって、ベース板１にカバー２をかぶせるとともに、それら突起部１ａと凹部２ａとをはめ合わせることによって、ベース板１とカバー２とがしっかりと組み合わされ、それらが簡単にはバラバラにならないようにしている。
【００１４】
また、上記ベース板１とカバー２との間には、当該銘板の地色や地模様を表示した遮光性の一方のシート３と、文字や図柄等を表示した透光性の他方のシート４とを介在させるが、この実施形態では、一方のシート３を、遮光性の紙あるいはプラスチック製としている。また、透光性のシート４にはＯＨＰシートを用いている。
上記遮光性のシート３には、例えば、当該銘板にステンレスなどの金属製の雰囲気を持たせたければ、地色として銀色を施せばよい。また、この上に乗せる透光性のシート４には、配電制御盤の特性を示す文字を印刷している。なお、この文字は、配電制御盤の制御機能等に応じていろいろ異なることは当然である。
【００１５】
このようにしたベース板１等を銘板として組み立てるには、まず、ベース板１上に例えばステンレス色である銀色にした遮光性のシート３を乗せる。そして、この遮光性のシート３の上に、文字等を印刷した透光性のシート４を乗せ、さらにその上から透明のカバー２を被せる。このように透明のカバー２を被せるときには、ベース板１の突起部１ａを、カバー２の凹部２ａにはめ合わせる。
【００１６】
上記のようにして銘板を構成することによって、透明のカバー２側から、透光性のシート４に表示された文字等を透視できる。このときに、透光性のシート４の下にある遮光性のシート３の色、すなわち金属色である銀色が文字等のバックに表れるので、金属製銘板の雰囲気を作り出すことができる。しかも、遮光性のシート３の色印刷によっては、金属製と見誤るほどであり、視覚的には金属と区別できないほどになる。
【００１７】
また、上記透光性のシート４の印刷文字等を変更したいときには、ベース板１から透明のカバー２を外して、透光性のシート４だけを取り換えることになる。このときベース板１およびカバー２をひねるようにするか、または、カバー２の側面開口部５に精密ドライバー等を差し込んで引き上げると、突起部１ａが凹部２ａから外れるので、カバー２をベース板１から外すことができる。
そして、上記透光性のシート４は、ＯＨＰシートからなるので、それに印刷を施すことはきわめて簡単である。したがって、変更箇所を含めた全体を印刷した透光性のシート４を新たに作り替えることも非常に簡単である。
【００１８】
なお、ＯＨＰシートは、コンピュータに接続したプリンターを用いて印刷ができるので、例えば、透光性のシート４に印刷した文字等の所定事項をあらかじめコンピュータに記憶させておけば、変更箇所だけを打ち直して、それをプリンターで印刷できる。また、当然のこととして、新規の銘板もこのようにコンピュータを利用して制作できることになる。
このことは、非常に重要なことで、従来専門業者しか作れないとされていた銘板を誰もが簡単に作れるし、しかも、その内容を自由に変更できることを意味する。
【００１９】
特に、機械や装置の機能を明確にするために使用する配電制御盤の銘板で、その変更を必要とするときには、即座に変更しておかなければ、工場等においてトラブルが発生してしまうことは、前記したとおりである。しかし、この発明の実施形態によれば、ビニールテープやラベルテープを使用しなくても、簡単に銘板を変更することができる。したがって、上記のように銘板の内容に誤りがあるためのトラブルなどは未然に防ぐことができる。
【００２０】
また、上記した実施形態は、配電制御盤等の銘板を想定したが、その用途が限定されてないこと当然である。例えば、この銘板を、旅館やホテルなどにおける特定の会場の表札等としても使用できる。この場合には、使用者の名前を直接表示するなど、その使用者の個性に合わせた内容表示が可能になる。しかし、従来のように、プラスチックプレートに直接文字等を彫り込んだり印刷したりするタイプでは、個性的な内容表示など、とてもできない。もし、個性的な内容表示をしようとすれば、表示対象である個性の数分だけ銘板を備えなければならないが、それはコストという面から不可能に近い。
【００２１】
しかし、この発明の実施形態によれば、銘板を誰もが簡単に作れるとともに、その内容を自由に設定できるようになるので、状況に合わせて個性的な内容表示が可能になり、その便利さは計り知れないものになる。
なお、上記実施形態では、透光性のシート４をＯＨＰシートで構成したが、それがＯＨＰシートである必要はない。そのシート自体が透光性を有する素材であれば、どのような材質でもかまわない。ただし、ＯＨＰシートを利用すれば、その印刷特性が優れたものになる。
また、上記実施例では、遮光性のシート３を紙あるいはプラスチック製としたが、それが紙あるいはプラスチック製である必要はない。そのシート自体が、例えば、布や金属など遮光性を有する素材であれば、どのような素材でもかまわない。
【００２２】
また、透光性のシート４に印刷する文字は、中抜き文字でもよいこと当然である。透光性のシート４に中抜き文字を印刷したときには、透光性のシート４の地色と、その中抜き文字から透視できる遮光性のシート３の色とが、表面に表れることになる。したがって、デザイン性に優れたものを簡単に作ることもできる。
【００２３】
さらに、上記実施形態では、下に入れる一方のシート３を遮光性にしてそこに地色を表示し、この一方のシート３に乗せる他方のシート４を透光性にしてそこに文字や図柄等を表示するようにしたが、下側に位置する一方のシート３に文字や図柄を表示し、上に位置する他方のシート４に地色等を表示し、シート４に表示した地色を介して、下側に位置する一方のシート３の文字や図柄を透視できるようにしてもよい。
【００２４】
また、上記実施形態では、２枚のシート３、４を用いたが、シートそれ自体は何枚使ってもかまわない。例えば、複数枚の透光性のシートに表示したいろいろな色を、透視できるようにしてもよい。
さらに、画像を焼き付けた写真そのものを遮光性のシート３として使用したり、デジタルカメラなどのデジタル技術を活用して、遮光性のシート３や透光性のシート４の上に画像を印刷したりしてもよい。これにより、従来の銘板ではほとんど不可能だった、銘板に画像を表示したいと言うニーズにも応えることができるようになる。
いずれにしても、遮光性のシート３と透光性のシート４とに表現した文字や模様、あるいはその色や写真などに応じて、いろいろな雰囲気の銘板を作り出すことができる。
【００２５】
さらに、上記透光性のシート４には、そこに文字や模様等を印刷するだけでなく、それら文字や模様を貼り付けるようにしてもよい。例えば、透光性のシート４にシールを貼り付けておけば、さらに個性的な銘板を作り出すことができる。このように個性的な銘板を、色とともに作り出すことができるので、例えば、小売店の陳列棚などに、商品説明やセール中の商品の宣伝などを、きれいに、しかも見栄えよく表示することができる。
【００２６】
さらにまた、上側に位置する他方のシート４を遮光性にするとともに、その他方のシート４にいろいろな穴を形成して、その穴から下側にある一方のシート３の文字や図柄等が表れるようにしてもよい。したがって、２枚のシート３、４のうち、上側にあるシートを必ず透光性にしておかなくてはならないという制約はない。ただし、上側にある他方のシート４は、下側にある一方のシート３を何らかのかたちで透視できるような構造になっていなければならないこと当然である。
【００２７】
【発明の効果】
第１の発明によれば、シートを変更するだけで、表示内容を簡単に変更できる。したがって、例えば、配電制御盤に用いる銘板のように、ユーザーの要望に応じた表示が自由にできる。また、既設の配電制御盤で、銘板の表示内容を即刻変更しなければならない場合にも、シートの変更だけで変更に対応できるので、その変更遅れによる事故などを未然に防止できる。
さらに、表示内容を簡単に変更できるので、個性的な表示内容に対応できる。したがって、銘板メーカーは、少量多品種の銘板をあらかじめ生産してそれをストックしておく負担がほとんどなくなる。
【００２８】
第２の発明によれば、遮光性のシートに、例えばステンレス色の銀色を施しておけば、当該銘板を金属製と見誤るほどに精巧に仕上げることができる。また、画像を焼き付けた写真そのものを遮光性のシートにしたり、デジタル技術を活用してシート上に画像を印刷したりして、画像を表示することができる。
いずれにしても、両シートに表示した色や図柄、あるいは写真などを重ね合わせて表現できるので、それだけデザイン性に富んだものになる。
【００２９】
第３の発明によれば、透光性のシートしてＯＨＰシートを用いたので、次のような効果を期待できる。すなわち、ＯＨＰシートはコンピュータに接続したプリンターを用いて印刷ができるので、例えば、透光性のシートに印刷した文字等の所定事項をあらかじめコンピュータに記憶させておけば、変更箇所だけを打ち直して、それをプリンターで印刷できる。また、当然のこととして、新規の銘板もこのようにコンピュータを利用して制作できることになる。したがって、従来専門業者しか作れないとされていた銘板を誰もが簡単に作れるし、しかも、その内容を自由に変更できることになる。
【図面の簡単な説明】
【図１】銘板の分解斜視図である。
【図２】銘板の断面図である。
【符号の説明】
１　　　ベース板
１ａ　　突起部
２　　　カバー
２ａ　　凹部
３　　　遮光性のシート
４　　　透光性のシート
５　　　開口部
【図１】
2004144961.tif 000003
【図２】
2004144961.tif 000004